(57)【要約】【課題】  漆塗りボタンなどの飾りボタンの着脱が容易であり、特に、フック付の衣類や既存のボタンを残した衣類であっても、容易に飾りボタンを着脱することができるボタン取付け具を提供すること。【解決手段】  ボタン５０を衣類５７に取り付けるボタン取付け具５２において、該ボタンの裏側に固着された金具に係合する金具係合部と、衣類の下前に設けられたループ又は受具に係合するフックとを一体的に形成したことを特徴とする。【選択図】図６
2006187415.tif 000002
【特許請求の範囲】
【請求項１】
ボタンを衣類に取り付けるボタン取付け具において、
該ボタンの裏側に固着された金具に係合する金具係合部と、
衣類の下前に設けられたループ又は受具に係合するフックとを一体的に形成したボタン取付け具。
【請求項２】
ボタンを衣類に取り付けるボタン取付け具において、
該ボタンの裏側に固着された金具に係合する金具係合部と、
衣類の下前に設けられた他のボタンに係合するボタン係合部とを一体的に形成したボタン取付け具。
【請求項３】
請求項１又は２に記載のボタン取付け具において、該金具係合部は、取付け具側の孔又は環状部にボタン側の金具を挿嵌するよう構成されていることを特徴とするボタン取付け具。
【請求項４】
請求項３に記載のボタン取付け具において、該取付け具側の孔又は環状部に通じる切込みが形成されていることを特徴とするボタン取付け具。
【請求項５】
請求項１乃至４のいずれかに記載のボタン取付け具において、該ボタンが漆塗りを使用したボタンであることを特徴とするボタン取付け具。
【請求項６】
請求項１乃至４のいずれかに記載のボタン取付け具において、該取付け具はメッキが施されていることを特徴とするボタン取付け具。
【請求項７】
請求項１に記載のボタン取付け具において、該フックは、Ｕ字型を形成しており、Ｕ字型の最深部にループ又は受具を保持する保持部分を有し、該保持部分に至る途中のＵ字型の幅が狭く、あるいはＵ字型の少なくとも一方の直線部分の内側に凹凸が形成されていることを特徴とするボタン取付け具。
【請求項８】
請求項１又は７に記載のボタン取付け具において、該フックを形成するＵ字型の先端部は、ボタン側に曲げられていることを特徴とするボタン取付け具。
【発明の詳細な説明】
【技術分野】
【０００１】
本発明は、ボタン取付け具に関し、特に、漆塗りボタンなどの飾りボタンの着脱が容易なボタン取付け具に関する。
【背景技術】
【０００２】
従来より、衣類には多様なボタンが利用されている。しかしながら、衣類を洗濯やクリーニングに出す際には、ボタンの劣化を防ぐために、全てのボタンを外す場合もあり、ボタンの着脱に係る作業の煩雑性が問題となっていた。
【０００３】
ボタンの着脱を容易にする方法としては、特許文献１において、図１に示すように、釦本体１と、透孔５を有する脚部２とからなり、服地３に形成されたスリット状の釦係止穴４に脚部２を貫通させた状態で、該透孔５に釦係止具７のフック６を挿入して、釦１を服地３に取付けるものが提案されている。そして、釦を取り外す場合には、釦係止具７のフック６を透孔５から外すことで、容易に釦１を服地から取り外すことができる。
【特許文献１】実願昭５６−５８３０８号（実開昭５７−１６９１０８号）のマイクロフィルム
【０００４】
また、特許文献２においては、図２に示すように、糸通し穴を端部に備えた取付片１３に、フック状の係止部１２の一端を固定し、該取付片１３を服地１４に糸１５により縫い付け、該係止部１２を釦１０の足部１１に挿入する方法も提案されている。
【特許文献２】実願昭６２−９４１６７号（実開昭６３−２０２３０６号）のマイクロフィルム
【０００５】
これらのボタン取付け方法は、ボタン本体と取付け具が取外しの際に別体となり、それらの保管が煩雑な上、ボタンの脚部又は足部を何度も係止部となるフックに着脱するため、フックが釦係止具などから取れるなど破損し易いという欠点を有する。
【０００６】
他方、図３に示すように、ボタン３０を服地の上前３２に取り付け、上前３２の裏側には、フック３４を取り付ける衣類があり、このような衣類の場合には、ボタンの裏金具３１を糸で上前に縫い付け、さらに裏側には別の糸３５でフック３４を縫いつける必要がある。このようなフック３４は、該フックの先端部３６を、図４に示すような、下前に取り付けられた受具４１や紐状のループ４４などに引っ掛けて、上前と下前を閉じ合わせるように構成されている。なお、受具４１は、受具の取付部４２を糸４３などで下前に縫いつけることにより固定される。
【０００７】
このようなフック３４を使用する衣類においては、ボタンとフックを別々縫い合わせる必要があり、作業が煩雑な上、洗濯等でボタンを取り外す際には、さらに煩雑なものとなる。
【０００８】
さらに、既存のボタンを別のボタンに付け替える場合には、付け替え作業に係る負担が、一層増大するため、容易に行えないのが実情である。
【発明の開示】
【発明が解決しようとする課題】
【０００９】
本発明は、上述した問題を解決し、漆塗りボタンなどの飾りボタンの着脱が容易であり、特に、フック付の衣類や既存のボタンを残した衣類であっても、容易に飾りボタンを着脱することができるボタン取付け具を提供することである。
【課題を解決するための手段】
【００１０】
請求項１に係る発明では、ボタンを衣類に取り付けるボタン取付け具において、該ボタンの裏側に固着された金具に係合する金具係合部と、衣類の下前に設けられたループ又は受具に係合するフックとを一体的に形成したことを特徴とする。
【００１１】
請求項２に係る発明では、ボタンを衣類に取り付けるボタン取付け具において、該ボタンの裏側に固着された金具に係合する金具係合部と、衣類の下前に設けられた他のボタンに係合するボタン係合部とを一体的に形成したことを特徴とする。
【００１２】
請求項３に係る発明では、請求項１又は２に記載のボタン取付け具において、該金具係合部は、取付け具側の孔又は環状部にボタン側の金具を挿嵌するよう構成されていることを特徴とする。
【００１３】
請求項４に係る発明では、請求項３に記載のボタン取付け具において、該取付け具側の孔又は環状部に通じる切込みが形成されていることを特徴とする。
【００１４】
請求項５に係る発明では、請求項１乃至４のいずれかに記載のボタン取付け具において、該ボタンが漆塗りを使用したボタンであることを特徴とする。
【００１５】
請求項６に係る発明では、請求項１乃至４のいずれかに記載のボタン取付け具において、該取付け具はメッキが施されていることを特徴とする。
【００１６】
請求項７に係る発明では、請求項１に記載のボタン取付け具において、該フックは、Ｕ字型を形成しており、Ｕ字型の最深部にループ又は受具を保持する保持部分を有し、該保持部分に至る途中のＵ字型の幅が狭く、あるいはＵ字型の少なくとも一方の直線部分の内側に凹凸が形成されていることを特徴とする。
【００１７】
請求項８に係る発明では、請求項１又は７に記載のボタン取付け具において、該フックを形成するＵ字型の先端部は、ボタン側に曲げられていることを特徴とする。
【発明の効果】
【００１８】
請求項１に係る発明により、ボタン取付け具に、ボタンの裏側に固着された金具に係合する金具係合部と、衣類の下前に設けられたループ又は受具に係合するフックとを一体的に形成しているため、ボタンとフックを有する取付け具とを連結し、上前にボタンを取り付ける際には、上前に設けられた穴に取付け具を挿入するだけで良く、しかも、挿入された取付け具は、上前の裏側ではフックが突出しているため、従来のように、ボタンとフックとを別々に縫い付ける必要も無い。しかも、ボタンを取り外す場合には、ボタンを取り付ける場合と逆に、衣類の上前の穴から取付け具を取り出すだけで良い。しかも、ボタンと取付け具が連結されているため、取付け具が紛失したり、破損するなどの不具合もない。
【００１９】
請求項２に係る発明により、ボタン取付け具に、ボタンの裏側に固着された金具に係合する金具係合部と、衣類の下前に設けられた他のボタンに係合するボタン係合部とを一体的に形成しているため、衣類の下前に設けられた既存のボタンを外すことなく取付け具に連結された新たなボタンを下前に装着することができ、ボタンの付け替えなどの煩雑な作業を省略することが可能となる。
【００２０】
請求項３に係る発明により、ボタン取付け具の金具係合部は、取付け具側の孔又は環状部にボタン側の金具を挿嵌するよう構成されているため、ボタンと取付け具との連結に際し、縫製作業が不要となる上、金具係合部とボタンの金具とが強固に連結されるため、両者が外れる心配もない。
【００２１】
請求項４に係る発明により、ボタン取付け具には、取付け具側の孔又は環状部に通じる切込みが形成されているため、取付け具に連結するボタンを他のものに交換する際にも、該切込みを通じボタンの金具を着脱することができ、容易に交換を行うことが可能となる。
【００２２】
請求項５に係る発明により、ボタン取付け具を使用するボタンが漆塗りを使用したボタンであるため、特に、洗濯やクリーニングを行う際に、衣類から取り外す必要がある漆塗りのボタンを使用する場合には、本発明のボタン取付け具を最も効果的に利用することができる。
【００２３】
請求項６に係る発明により、ボタン取付け具はメッキが施されているため、装飾性の高い取付け具を提供することが可能となる。
【００２４】
請求項７に係る発明により、ボタン取付け具のフックは、Ｕ字型を形成しており、Ｕ字型の最深部にループ又は受具を保持する保持部分を有し、該保持部分に至る途中のＵ字型の幅が狭く、あるいはＵ字型の少なくとも一方の直線部分の内側に凹凸が形成されているため、フックの機能として、ループ又は受具が容易にフックから外れないように構成することが可能となる。
【００２５】
請求項８に係る発明により、ボタン取付け具のフックを形成するＵ字型の先端部は、ボタン側に曲げられているため、該フックをループ又は受具に引っ掛ける場合には、容易に操作を行うことが可能となる。
【発明を実施するための最良の形態】
【００２６】
本発明に係るボタン取付け具について、以下に詳細に説明する。
図５は、本発明に係るボタン取付け具の第１の実施例を示す概略図である。図５（ａ）は、取付け具５２の断面図と、それに連結されるボタン５０を示している。ボタンの裏面には、接着剤や金具自体に設けられたネジ部をボタンに捩じ込むことにより、金具５１がボタンに固着されている。金具の固着強度を高めるため、補強板などを金具に取付け、該補強板を直接ボタンに接着することも可能である。
【００２７】
ボタン取付け具５２には、金具５１に係合する金具係合部として、孔５３を設けると共に、図４のような衣類の下前に設けられたループ又は受具に係合するＵ字型のフックとが一体的に形成されている。図５（ｂ）は、取付け具５２の斜視図である。フックを形成するＵ字型の先端部５５は、ループ又は受具に係合し易いように、ボタン５０が連結される側に折り曲げられている。また、Ｕ字型の最深部には、ループ又は受具を保持する保持部分５４を有し、該保持部分５４に至る途中のＵ字型の幅５６は、ループ又は受具が容易にフックから外れないように、保持部分５４より狭く構成されている。
【００２８】
ボタンの金具５１と取付け具５２との連結方法は、金具５１を取付け具の孔５３に挿嵌することにより、両者を連結することができるが、それ以外にも、糸などを利用して金具５１と孔５３を結び付けることも可能である。また、取付け具の孔５３の代わりに、取付け具の先端に環状の金具を固着することも可能である。
【００２９】
ボタン５０を連結した取付け具５２は、衣類の上前５７に設けられた穴５８に挿入され、図６に示すように、上前の表側にボタン５０を、裏側に取付け具５２のフックが突出するよう配置される。上前に設ける穴５８の大きさは、取付け具が通過できる程度の小さなものでよく、取付けた後も、取付け具のフック部分が止め具となり、ボタンは容易に上前から外れることもない。
【００３０】
本発明に係るボタン取付け具の第１の実施例により、ボタンとフックを連結しているため、両者を衣類の上前に別々に縫い付ける必要が無い。しかも、ボタンを取り外す場合には、ボタンを取り付ける場合と逆に、衣類の上前の穴から取付け具を取り出すだけで良い。しかも、ボタンと取付け具が連結されているため、取付け具が紛失したり、破損するなどの不具合もない。また、本発明は、ニット衣類などの比較的網目の大きい衣類には、取付け具を通過させる穴を別途用意することなく、取付け具を網目を通して通過させることも可能となるため、極めて利用価値が高い。
【００３１】
第１の実施例の応用例として、図７（ａ）に示すように、孔５３に通じる切込み６０を形成することにより、ボタンの金具５１を該切込みを通じて着脱可能なように構成することも可能である。さらに、図７（ｂ）に示すように、フックを形成するＵ字型の直線部分の少なくとも一方に凹凸６１を形成し、ループ又は受具が容易にフックから外れないように構成することも可能である。
【００３２】
次に、本発明に係るボタン取付け具の第２の実施例について説明する。
図８（ａ）では、ボタン取付け具は、ボタンの裏側に固着された金具に係合する金具係合部７０と、衣類の下前に設けられた他のボタンに係合するボタン係合部７２とを一体的に形成したものである。
【００３３】
金具係合部７０には、ボタンの金具と係合するための孔７１が形成されている。ボタン係合部７２は、金属線などを加工し環状に形成されていると共に、金具係合部７０に取り付けられている。金具係合部７０とボタン係合部７２は固定的に接続することも可能であるが、図８（ａ）のように、仮に、金具係合部７０を板状部材を折り曲げた形状とする場合には、折り曲げ部に形成される隙間にボタン係合部７２に挿通して両者を連結し、両者が相対的に可動できるよう構成しても良い。
【００３４】
図８（ａ）に示すボタン取付け具は、図９に示すように、ボタン７３に設けられた金具７４と連結すると共に、衣類の下前７６に糸７７等で取り付けられた既存のボタン７５に係合して使用される。
取付け具とボタン７５との係合方法は、取付け具のボタン係合部７２が脚部分７８と立ち上り部分７９とから構成され、脚部分７８の最深部がボタン７５を固着する糸７７に近接するまで、該脚部分７８をボタン７５と下前７６との間に挟み込む。
【００３５】
もし、脚部分７８と立ち上り部分７９の接続部分（特に、取付け具とボタン７５とが相対的に移動した際に、ボタン７５が取付け具から着脱する部分）の幅ｄ１が、ボタン７５の直径より狭い状態であるなら、ボタン７５が取付け具から外れることはない。また、ボタンのボタン係合部７２への挿入や挿出を可能とするため、ボタン係合部７２を構成する金属線を弾性を有する材料で構成することが好ましい。
【００３６】
また、脚部分７８の内側の長さｄ２を、ボタン７５の半径と同程度又は該半径より若干だけ大きく設定することにより、脚部分７８の最深部にボタン７５を固定する糸７７を挟み込んだ状態で、ボタン係合部７２をボタンに密着固定することが可能となる。しかも、脚部分７８の最深部付近の幅を狭くすることにより、糸７７が脚部分から抜け難くすることもできる。
【００３７】
図８（ａ）で示したボタン取付け具は、金具係合部７０とボタン係合部７２からなる２種類の部材で構成されるものを示したが、本発明は、これに限定されるものではなく、例えば、図８（ｂ）に示すように一本の金属線８０を折り曲げ、金具係合部８１とボタン係合部８２とを一つの部材で形成することも可能である。また、金具係合部８１を１回以上捩じることにより、金具係合部８１に挿入されるボタン７３の金具７４などが、ボタン係合部８２の方に移動するのを防止することもできる。
【００３８】
図８に示した本発明に係るボタン取付け具の第２の実施例により、衣類の下前に設けられた既存のボタンを外すことなく、本取付け具に連結された新たなボタンを下前に装着することができ、ボタンの付け替えなどの煩雑な作業を省略することが可能となる。また、本発明に係るボタン取付け具の第２の実施例の利用方法としては、上述した以外に、衣類の上前のボタン穴又はニットなどの網目にボタン係合部７２を通過させ、上前と下前を閉じ合わせる際に、下前の既存のボタンに該ボタン係合部７２を係合させて使用することも可能である。
【００３９】
本発明に係るボタン取付け具は、漆塗りボタンなどの飾りボタンには、特に好適に使用することができ、洗濯やクリーニング時などのボタンの着脱を円滑に行うことができる。また、取付け具自体の装飾性を高めるため、金や銀などによりメッキ処理を施すことも可能である。
【産業上の利用可能性】
【００４０】
以上、説明したように、本発明によれば、漆塗りボタンなどの飾りボタンの着脱が容易であり、特に、フック付の衣類や既存のボタンを残した衣類であっても、容易に飾りボタンを着脱することができるボタン取付け具を提供することができる。
【図面の簡単な説明】
【００４１】
【図１】ボタン取付け具に関する第１の従来例を示す図である。
【図２】ボタン取付け具に関する第２の従来例を示す図である。
【図３】フック付き衣類の従来例を示す図である。
【図４】フック付衣類の受具又はループを示す図である。
【図５】本発明に係るボタン取付け具の第１の実施例を示す図である。
【図６】図５のボタン取付け具の衣類への装着の様子を示す図である。
【図７】第１の実施例の応用例を示す図である。
【図８】本発明に係るボタン取付け具の第２の実施例を示す図である。
【図９】図８のボタン取付け具の衣類への装着の様子を示す図である。
【符号の説明】
【００４２】
５０，７３    ボタン
５１，７４    金具
５２    取付け具
５３，７１    孔
５４    保持部分
５５    先端部
５７    衣類の上前
５８    穴
７０，８１    金具係合部
７２，８２    ボタン係合部
７５    既存ボタン
７６    衣類の下前
７７    糸
７８    脚部分
７９    立ち上り部分
【図１】
2006187415.tif 000003
【図２】
2006187415.tif 000004
【図３】
2006187415.tif 000005
【図４】
2006187415.tif 000006
【図５】
2006187415.tif 000007
【図６】
2006187415.tif 000008
【図７】
2006187415.tif 000009
【図８】
2006187415.tif 000010
【図９】
2006187415.tif 000011